(57)【要約】【課題】手首装着機器の無線通信部に対する耐衝撃性の向上を図る。【解決手段】腕時計１００は、時計ケース２と、この時計ケース２を手首に装着するバンド部材３と、ゲート装置２００との間で情報の送受信を行うデータキャリアモジュール４を備える。そして、時計ケース２におけるバンド部材３の第一バンド部３２の取付位置である第一バンド取付部２７に、データキャリアモジュール４を収納する収納部５を設け、時計ケース２の第一バンド取付部２７に固定される第一カバー部材３１により収納部５を覆った。【選択図】図２
2005098990.tif 000002
【特許請求の範囲】
【請求項１】
機器本体ケースと、この機器本体ケースを手首に装着するバンド部材とを備える手首装着機器において、
外部通信機器との間で情報の送受信を行う無線通信部と、
前記機器本体ケースにおける前記バンド部材の取付位置に設けられ、前記無線通信部を収納する収納部と、
前記収納部を覆い、前記機器本体ケースに固定されたカバー部材とを備え、
前記カバー部材は、前記バンド部材の自由端に備えられていることを特徴とする手首装着機器。
【請求項２】
機器本体ケースと、この機器本体ケースを手首に装着するバンド部材とを備える手首装着機器において、
外部通信機器との間で情報の送受信を行う無線通信部と、
前記機器本体ケースにおける前記バンド部材の取付位置に設けられ、前記無線通信部を収納する収納部と、
前記機器本体ケースに固定され、この機器本体ケースの表面のうちの少なくとも一部分を覆うと共に、前記収納部を覆うカバー部材と、
を備えることを特徴とする手首装着機器。
【請求項３】
前記カバー部材と前記収納部との間に設けられ、この収納部内に収納された前記無線通信部を塞ぐ蓋部材を備えていることを特徴とする請求項１又２に記載の手首装着機器。
【請求項４】
前記蓋部材は、前記収納部に溶着されていることを特徴とする請求項３に記載の手首装着機器。
【請求項５】
前記無線通信部は、前記収納部内に予め定められている固定部材を介して固定されていることを特徴とする請求項１〜４の何れか一項に記載の手首装着機器。
【請求項６】
前記収納部は、前記機器本体ケースの１２時方向側に設けられ、
前記無線通信部は、コアとこのコアに巻回されたコイルとからなるアンテナを備えており、前記アンテナの長手方向が前記バンド部材の延在方向に沿うように前記収納部に配設され、
前記外部通信機器は、ループアンテナを備えており、
前記無線通信部と前記外部通信機器とは、前記アンテナの長手方向と前記ループアンテナとが直交するように配置され、前記アンテナと前記ループアンテナとにより電磁結合方式若しくは電磁誘導方式により情報の送受信を行うことを特徴とする請求項１〜５に記載の手首装着機器。
【請求項７】
機器本体ケースと、この機器本体ケースを手首に装着するバンド部材とを備える手首装着機器において、
前記機器本体ケースに回転自在に取り付けられた回転ベゼルと、
前記回転ベゼルに配設され、外部通信機器との間で情報の送受信を行うアンテナを有する無線通信部と、
を備えることを特徴とする手首装着機器。
【請求項８】
前記機器本体ケース内に、前記無線通信部と電気的に接続され、当該無線通信部との間で情報の送受信を行う通信部を備えることを特徴とする請求項１〜７の何れか一項に記載の手首装着機器。
【請求項９】
前記通信部は、前記無線通信部との間で情報の無線通信を行うように構成されていることを特徴とする請求項８に記載の手首装着機器。
【発明の詳細な説明】
【技術分野】
【０００１】
本発明は、手首装着機器に関する。
【背景技術】
【０００２】
従来、使用者の手首に装着されて使用される腕時計等の手首装着機器が知られている。
また、近年、交通機関の自動改札システム等には、リーダ／ライタを直接的に通さずに電磁誘導波により非接触型の無線通信部からデータを読み取り又は書き込みできるシステムとしてデータキャリアシステム（若しくは、Radio Frequency Idetificationシステム＝ＲＦ−ＩＤシステム（ISO／IEC １４４４３）、以下ＲＦ−ＩＤシステムと称す。）
が採用されている。
そして、上記の無線通信部を腕時計に適用したものも開発されている（例えば、特許文献１参照。）。
特許文献１に記載された腕時計の場合、機器本体ケースとバンドとの間に、無線通信部を介在させて取り付けるようになっている。また、無線通信部等をバンドに取付固定したものも開発されている。
【特許文献１】特開２００２−６０６１号公報
【発明の開示】
【発明が解決しようとする課題】
【０００３】
しかしながら、無線通信部は外部からの衝撃に弱いため、上記のような取付構造では、無線通信部の耐衝撃性の確保が十分ではないという問題があった。
【０００４】
本発明の課題は、無線通信部に対する耐衝撃性の向上を図ることができる手首装着機器を提供することである。
【課題を解決するための手段】
【０００５】
請求項１に記載の発明は、例えば、図１〜図４等に示すように、
機器本体ケース（例えば、時計ケース２等）と、この機器本体ケースを手首に装着するバンド部材（３）とを備える手首装着機器（例えば、腕時計１００等）において、
外部通信機器（例えば、ゲート装置２００等）との間で情報の送受信を行う無線通信部（例えば、データキャリアモジュール４等）と、
前記機器本体ケースにおける前記バンド部材の取付位置に設けられ、前記無線通信部を収納する収納部（５）と、
前記収納部を覆い、前記機器本体ケースに固定されたカバー部材（例えば、第一カバー部材３１等）とを備え、
前記カバー部材は、前記バンド部材の自由端に備えられていることを特徴としている。
【０００６】
請求項２に記載の発明は、例えば、図５〜図１８等に示すように、
機器本体ケース（例えば、時計ケース３０２等）と、この機器本体ケースを手首に装着するバンド部材（３０３）とを備える手首装着機器（例えば、腕時計３００等）において、
外部通信機器（例えば、ゲート装置２００等）との間で情報の送受信を行う無線通信部（例えば、データキャリアモジュール４等）と、
前記機器本体ケースにおける前記バンド部材の取付位置に設けられ、前記無線通信部を収納する収納部（３０５）と、
前記機器本体ケースに固定され、この機器本体ケースの表面のうちの少なくとも一部分を覆うと共に、前記収納部を覆うカバー部材（例えば、表面カバー部材３０９、４０９等）と、
を備えることを特徴としている。
【０００７】
請求項３に記載の発明は、例えば、図２及び図６等に示すように、請求項１又２に記載の手首装着機器において、
前記カバー部材と前記収納部との間に設けられ、この収納部内に収納された前記無線通信部を塞ぐ蓋部材（５３、３５３）を備えていることを特徴としている。
【０００８】
請求項４に記載の発明は、請求項３に記載の手首装着機器において、
前記蓋部材は、前記収納部に溶着されていることを特徴としている。
【０００９】
請求項５に記載の発明は、例えば、図６等に示すように、請求項１〜４の何れか一項に記載の手首装着機器において、
前記無線通信部は、前記収納部内に予め定められている固定部材（３１０）を介して固定されていることを特徴としている。
【００１０】
請求項６に記載の発明は、例えば、図１９及び図２０等に示すように、請求項１〜５の何れか一項に記載の手首装着機器において、
前記収納部は、前記機器本体ケースの１２時方向側に設けられ、
前記無線通信部は、コア（３４２１）とこのコアに巻回されたコイル（例えば、データキャリア側アンテナコイル３４２２等）とからなるアンテナ（例えば、バーアンテナ３４２等）を備えており、前記アンテナの長手方向が前記バンド部材の延在方向に沿うように前記収納部に配設され、
前記外部通信機器（例えば、ガソリン計量器５００等）は、ループアンテナ（５０１）を備えており、
前記無線通信部と前記外部通信機器とは、前記アンテナの長手方向と前記ループアンテナとが直交するように配置され、前記アンテナと前記ループアンテナとにより電磁結合方式若しくは電磁誘導方式により情報の送受信を行うことを特徴としている。
【００１１】
請求項７に記載の発明は、図１９及び図２１等に示すように、
機器本体ケース（例えば、時計ケース３０２等）と、この機器本体ケースを手首に装着するバンド部材（３０３）とを備える手首装着機器（例えば、腕時計６００等）において、
前記機器本体ケースに回転自在に取り付けられた回転ベゼル（６０９）と、
前記回転ベゼルに配設され、外部通信機器（例えば、ガソリン計量器５００等）との間で情報の送受信を行うアンテナ（例えば、バーアンテナ３４２等）を有する無線通信部（例えば、データキャリアモジュール４等）と、
を備えることを特徴としている。
【００１２】
請求項８に記載の発明は、例えば、図４等に示すように、請求項１〜７の何れか一項に記載の手首装着機器において、
前記機器本体ケース内に、前記無線通信部と電気的に接続され、当該無線通信部との間で情報の送受信を行う通信部（例えば、アンテナコイル８等）を備えることを特徴としている。
【００１３】
請求項９に記載の発明は、請求項８に記載の手首装着機器において、
前記通信部は、前記無線通信部との間で情報の無線通信を行うように構成されていることを特徴としている。
【発明の効果】
【００１４】
請求項１に記載の発明によれば、外部通信機器との間で情報の送受信を行う無線通信部が収納部に収納されて、この収納部がバンド部材の自由端に備えられているカバー部材で覆われて、このカバー部材が機器本体ケースに固定されている。従って、カバー部材により無線通信部に対して外部からの衝撃が伝わりにくくなり、無線通信部に対する耐衝撃性を向上させることができる。
【００１５】
請求項２に記載の発明によれば、外部通信機器との間で情報の送受信を行う無線通信部が収納部に収納されて、この収納部が機器本体ケースに固定されたカバー部材で覆われている。従って、カバー部材により無線通信部に対して外部からの衝撃が伝わりにくくなり、無線通信部に対する耐衝撃性を向上させることができる。また、カバー部材によって、機器本体ケースの表面のうちの少なくとも一部分を表面側から保護することができる。
【００１６】
請求項３に記載の発明によれば、カバー部材と収納部との間に蓋部材が設けられているので、収納部内に無線通信部を収納し蓋部材で覆うことにより外部からの衝撃が直接無線通信部に伝達されることをより好適に防ぐことができる。
【００１７】
請求項４に記載の発明によれば、蓋部材が収納部に溶着されているので、収納部内に無線通信部を密閉した状態で収納することができ、無線通信部に対する耐防水性を向上させることができる。
【００１８】
請求項５に記載の発明によれば、無線通信部は、収納部内に予め定められている固定部材を介して固定されているので、収納部内に無線通信部が確実に固定されることとなって、外部通信機器との通信感度の変動を抑制することができる。
【００１９】
請求項６に記載の発明によれば、無線通信部と外部通信機器とは、アンテナの長手方向とループアンテナとが直交するように配置されているので、無線通信部の外部通信機器との通信において、電波の通信感度が最も良くなることとなって、アンテナの配置の適正化を図ることができると共に、無線通信部が収納された収納部が機器本体ケースの１２時方向側に設けられているので、外部通信機器に対する無線通信部の近接をより簡便に行うことが可能となり、外部通信機器との間の通信感度を向上させることができる。
【００２０】
請求項７に記載の発明によれば、外部通信機器との間で情報の送受信を行うアンテナを有する無線通信部が回転ベゼルに配設されているので、回転ベゼルの回転に従って外部通信機器に対して通信感度の良い位置にアンテナをもってくることが可能となり、無線通信部の外部通信機器との通信においてのアンテナの配置の適正化を図ることができる。
【００２１】
請求項８に記載の発明によれば、機器本体ケース内に、無線通信部と電気的に接続され、当該無線通信部との間で情報の送受信を行う通信部を備えているので、この通信部によって、無線通信部が外部通信機器との通信により取得した情報の受信や無線通信部を介した外部通信機器に対する情報の送信を行うことができる。
【００２２】
請求項９に記載の発明によれば、通信部は、無線通信部との間で情報の無線通信を行うように構成されているので、例えば無線通信部と通信部とを有線接続して通信を行う場合のように、収納部に配線用の孔を必要としないため、収納部内における無線通信部の収納保護及び耐防水性をより適正なものとすることができる。
【発明を実施するための最良の形態】
【００２３】
以下に、本発明について、図面を用いて具体的な実施形態を説明する。ただし、発明の範囲は、図示例に限定されない。
【００２４】
［実施形態１］
図１は、本発明を適用した実施形態１の手首装着機器として例示する腕時計を示す一部省略平面図であり、図２は、図１のII−II線における腕時計の要部断面図であり、図３は、図１の腕時計の時計ケースに対するバンド部材の取付工程を示す分解斜視図である。
【００２５】
実施形態１の腕時計１００は、例えば、自動改札システムのゲート装置２００（外部通信機器；図４参照）のリーダ／ライタ２０２（図４参照）との間で各種の情報の送受信を行うデータキャリアモジュール４（無線通信部；図２参照）を備えたものである。
【００２６】
先ず、腕時計１００の構成について説明する。
腕時計１００には、図１及び図２に示すように、時計機能部１を内部に収納する樹脂成形された時計ケース（機器本体ケース）２が備えられ、この時計ケース２には、当該時計ケース２を手首に装着するためのバンド部材３が取り付けられている。
【００２７】
時計ケース２の上部中央には、時計ガラス２１が例えば図示しない緩衝部材を介して装着され、また、時計ケース２の上部外周には、ベゼル２２が設けられている。さらに、時計ケース２の外周には、当該腕時計１００としての各種機能の実行を指示するスイッチ２３…が設けられている。
また、時計ケース２の下部には、図２に示すように、防水リング２４を介して裏蓋２５が取り付けられている。
裏蓋２５の上面には、緩衝部材２６が設けられ、この緩衝部材２６により時計機能部１等が支持されている。
【００２８】
時計ガラス２１の下側には、時計機能部１が設けられており、この時計機能部１を構成する太陽電池部１１、液晶表示部１２、ＥＬ発光素子１３、回路基板１４が上から順に配置されている。さらに、回路基板１４の下側には、太陽電池部１１で発電された電力を蓄積するための二次電池１５が収納されている。
【００２９】
太陽電池部１１は、液晶表示部１２の時間等の各種の情報をデジタル表示する領域を視認可能となるように環状に形成されている。
【００３０】
また、太陽電池部１１は、例えば、図示は省略するが、上透明電極と、下透明電極と、これら上透明電極と下透明電極の間に封止される所定の色素を吸着させた金属酸化物層と、所定の電解質を有する電荷輸送層等により構成されている。
そして、太陽電池部１１に光が照射されると、太陽電池部１１の金属酸化物層に吸着された色素が光エネルギーを吸収し、電子を放出する。その放出された電子は酸化チタンを介して一方の透明電極へ引き渡されて、その透明電極から外部の所定の負荷抵抗（例えば、液晶表示部１２等）へ送られる。その負荷抵抗を経由して移動した電子は、他方の透明電極に到達した後、電解質層（図示省略）を介して、色素に復帰する。この電子の循環現象により電流を発生させて発電し、負荷抵抗に電気エネルギーを供給することが可能になる。
そして、発電した電力を二次電池１５に充電し、この二次電池１５に充電した電力を腕時計１００の電力として使用することができる。
【００３１】
液晶表示部１２は、例えば図示は省略するが、上透明電極と、下透明電極と、これら上透明電極と下透明電極の間に封止された液晶層等により構成されている。なお、液晶層は、例えば、ツイスト角が９０度のツイストネマティック（ＴＮ）液晶を適用しても良い。
そして、液晶表示部１２における上透明電極及び下透明電極間に電圧を印加した状態に応じて、時刻等の各種の情報をデジタル表示するようになっている。
なお、図示は省略するが、上透明電極及び下透明電極には配線が接続されており、配線はコネクターを介して回路基板１４に接続されている。
【００３２】
ＥＬ発光素子１３は、ユーザによる発光スイッチ６（後述）の操作に基づいて、当該ＥＬ発光素子１３が出力する光を当該ＥＬ発光素子１３の上側の液晶表示部１２へ照射することができるようになっている。即ち、暗所において、バックライトとしてのＥＬ発光素子１３を発光させることにより、液晶表示部１２へ光を照射し、当該液晶表示部１２に表示された時間等の各種の情報を視認することができるようになる。
【００３３】
時計ケース２の時計機能部１を挟んだ両端部、即ち、時計ケース２の当該腕時計１００にアナログの文字盤を採用した場合における１２時方向側及び６時方向側の端部には、バンド部材３が取り付けられる第一バンド取付部２７及び第二バンド取付部２８が形成されている。
第一バンド取付部２７及び第二バンド取付部２８は、当該腕時計１００が手首に装着された状態で手首の円周方向に延在するように傾斜して形成されている（図２参照）。
【００３４】
第一バンド取付部２７には、図２及び図３に示すように、データキャリアモジュール４を収納する収納部５が設けられている。即ち、第一バンド取付部２７には、内部にデータキャリアモジュール４が収納配置される収納部５が一体成形されている。そして、この収納部５の開口の周囲に環状に形成された所定の深さを有する溝部５２内に環状側面部５３ａを係合させることで蓋部材５３によって収納部５の開口が閉塞されるようになっている。
【００３５】
データキャリアモジュール４は、収納部５内の所定位置に予め定められた固定部材（図示略）を介して固定されている。具体的には、データキャリアモジュール４は、例えば、粘着部材を介在させて収納部５内に固定されたり、収納部５内に樹脂等が流し込まれることにより固定されている。これにより、収納部５内におけるデータキャリアモジュール４の固定を確実に行うことができ、データキャリアモジュール４とゲート装置２００との通信感度の変動を抑制することができる。
なお、収納部５は、図３等において、深さ方向の断面が六角形状のものを例示したが、データキャリアモジュール４を収納可能な形状であれば如何なるものであっても良い。
【００３６】
蓋部材５３は、例えば樹脂成形された部材であり、溝部５２に係合する形状に形成された環状側面部５３ａと、この環状側面部５３ａの上端に連続して当該上端から膨出するように形成された膨出部５３ｂとを備えている。
膨出部５３ｂの上面の時計機能部１側の部分には、当該膨出部５３ｂの上面から突出された凸部５３ｃが形成されている。この凸部５３ｃは、第一バンド取付部２７に第一カバー部材３１（後述）が取り付けられた状態で、この第一カバー部材３１の開口部３１ｄから臨むようになっている。
このような構成の蓋部材５３は、収納部５の周囲に形成された溝部５２内に環状側面部５３ａを係合させた状態で溶着されて固定されている。これにより、収納部５内にデータキャリアモジュール４を密閉した状態で収納することができ、データキャリアモジュール４に対する耐防水性を向上させることができる。
【００３７】
なお、蓋部材５３のうち少なくとも凸部５３ｃの配色を、例えば、第一カバー部材３１と異なる配色としても良く、これにより、第一カバー部材３１により覆われた状態で、当該凸部５３ｃを第一カバー部材３１の開口部３１ｄから臨ませて収納部５内に存するデータキャリアモジュール４の位置をユーザに適切に認識させることができる。さらに、凸部５３ｃとバンド部材３を構成するバンド駒とを略同色としても良く、これにより、腕時計１００をデザイン性の優れたものとすることができる。
【００３８】
また、第一バンド取付部２７の収納部５よりもバンド部材３側の端部には、この端部から突出して、当該第一バンド取付部２７に取り付けられる第一カバー部材３１の係合孔３１ｃに係合される係合爪部２７ａが形成されている。
さらに、第一バンド取付部２７の係合爪部２７ａと収納部５との間には、当該第一バンド取付部２７に第一カバー部材３１を取り付けるために連結用ピン３８が挿通される挿通孔２７ｂが形成されている。
【００３９】
第二バンド取付部２８には、発光スイッチ６を収容する収容部２８ａが設けられている。
発光スイッチ６は、例えば、ユーザにより時計ケース２内方側に押圧操作される操作面部６１と、操作面部６１の裏面に接続された軸部（図示略）等を備えて構成されている。
そして、発光スイッチ６が収容部２８ａ内に収納されて、第二バンド取付部２８に第二カバー部材３３（後述）が取り付けられた状態で、この第二カバー部材３３の開口から当該発光スイッチ６の操作面部６１が臨むように構成されている。
【００４０】
また、第二バンド取付部２８の収容部２８ａよりもバンド部材３側の端部には、当該第二バンド取付部２８に第二カバー部材３３を取り付けるために連結用ピン３９が挿通される挿通孔２８ｂが形成されている。
【００４１】
バンド部材３は、第一バンド取付部２７に取り付けられる第一カバー部材３１と、第一カバー部材３１に連結された第一バンド部３２と、第二バンド取付部２８に取り付けられる第二カバー部材３３と、第二カバー部材３３に連結された第二バンド部３４と、第一バンド部３２及び第二バンド部３４の第一カバー部材３１及び第二カバー部材３３と反対側の端部どうしに連結された三つ折り式連結具（図示略）とを備えている。
【００４２】
第一バンド部３２及び第二バンド部３４は、例えば、長手方向に連結された複数のバンド駒から構成されている。なお、図１及び図２においては、第一バンド部３２及び第二バンド部３４のうち、第一カバー部材３１及び第二カバー部材３３側に各々設けられたバンド駒を示している。
そして、第一バンド部３２の第一カバー部材３１側に設けられたバンド駒の凹型連結部の挿通孔（図示略）及び第一カバー部材３１の凸型連結部３１ａの挿通孔３１ｉに連結用ピン３７が挿通されて、第一バンド部３２と第一カバー部材３１が連結されている。また、第二バンド部３４の第二カバー部材３３側に設けられたバンド駒の凹型連結部の挿通孔（図示略）及び第二カバー部材３３の凸型連結部３３ａの挿通孔３３ｅに連結用ピン３７が挿通されて、第二バンド部３４と第二カバー部材３３が連結されている。
【００４３】
また、第一バンド部３２及び第二バンド部３４を構成する各バンド駒並びに三つ折り式連結具は、例えば、金属から形成されている。
【００４４】
第一カバー部材３１は、図２及び図３に示すように、第一バンド取付部２７全体を内包するような形状に形成された部材である。
また、第一カバー部材３１は、第一バンド取付部２７を上側から覆うように、先端部が第一バンド部３２側の凸型連結部３１ａからベゼル２２近傍まで延出された上面カバー部３１ｂを有している。
上面カバー部３１ｂには、図３に示すように、凸型連結部３１ａ側に第一バンド取付部２７の係合爪部２７ａ、２７ａが係合する係合孔３１ｃ、３１ｃが形成され、先端部側に蓋部材５３の凸部５３ｃを臨ませる開口部３１ｄが形成されている。
【００４５】
また、第一カバー部材３１には、上面カバー部３１ｂに連続して形成され、第一バンド取付部２７をこの第一バンド取付部２７の側面側からそれぞれ覆うように延出された側面部３１ｅ、３１ｅが設けられている。
側面部３１ｅの各々の凸型連結部３１ａ側の第一バンド取付部２７の挿通孔２７ｂと同軸上となる位置には、第一バンド取付部２７に当該第一カバー部材３１が取り付けられる際に連結用ピン３８が挿通されるカバー部挿通孔３１ｆが形成されている。
また、側面部３１ｅの各々の凸型連結部３１ａと反対側となる先端部には、当該第一カバー部材３１が第一バンド取付部２７に取り付けられる際に、時計ケース２の外周面に形成された螺子孔（図示略）に螺子込まれる螺子（図示略）が挿通される挿通孔３１ｇが形成されている。
【００４６】
また、第一カバー部材３１には、略中央部から凸型連結部３１ａに亘って表面より所定の高さ低くなった段差部３１ｈが形成されており、この段差部３１ｈに、当該第一カバー部材３１が第一バンド取付部２７に取り付けられる際に金属カバー３５を係合可能となっている。
【００４７】
以下に、上記構成の第一バンド取付部２７に対しての第一カバー部材３１の取り付け手順について、図３を参照して説明する。
図３に示すように、先ず、第一バンド取付部２７の収納部５内にデータキャリアモジュール４を収納して固定する。このデータキャリアモジュール４の収納部５内に対する固定は、例えば、データキャリアモジュール４を粘着部材を介在させて収納部５内に固定したり、収納部５内に樹脂等を流し込むことにより行うようになっている。
次に、収納部５の周囲の溝部５２に環状側面部５３ａを係合させるようにして蓋部材５３を取り付けて、この蓋部材５３を溝部５２内に溶着する。
【００４８】
そして、蓋部材５３が溶着された第一バンド取付部２７に対して、この第一バンド取付部２７の係合爪部２７ａが係合孔３１ｃに係合するように第一カバー部材３１を取り付ける。これにより、第一カバー部材３１と収納部５との間に蓋部材５３が設けられた状態となる。さらに、第一カバー部材３１の側面部３１ｅの挿通孔３１ｆに螺子を挿通させて時計ケース２の外周面の螺子孔に螺子込むことにより、当該第一カバー部材３１の第一バンド取付部２７に対する固定をさらに強固なものとする。
次に、第一カバー部材３１の段差部３１ｈに、金属カバー３５を係合させて、この金属カバー３５の挿通孔３５ａ、第一カバー部材３１の挿通孔３１ｆ、第一バンド取付部２７の挿通孔２７ｂに連結用ピン３８を挿通して、第一バンド取付部２７に対する第一カバー部材３１の取付及び第一カバー部材３１に対する金属カバー３５の取り付けを完了する。
【００４９】
第二カバー部材３３は、図２に示すように、第二バンド取付部２８全体を内包するような形状に形成された部材である。
また、第二カバー部材３３は、第二バンド取付部２８を上側から覆うように、先端部が第二バンド部３４側の凸型連結部３３ａからベゼル２２近傍まで延出された上面カバー部３３ｂを有している。
上面カバー部３３ｂは、先端部側に発光スイッチ６の操作面部６１を臨ませる開口部３３ｃが形成されている。
【００５０】
また、第二カバー部材３３は、図示は省略するが第一カバー部材３１と同様に、上面カバー部３３ｂに連続して形成され、第二バンド取付部２８をこの第二バンド取付部２８の側面側からそれぞれ覆うように延出された形状となっている。
第二カバー部材３３の側面には、第二バンド取付部２８の挿通孔２８ｂと同軸上となる位置に、第二バンド取付部２８に当該第二カバー部材３３が取り付けられる際に連結用ピン３９が挿通されるカバー部挿通孔（図示略）が形成されている。
また、第二カバー部材３３の凸型連結部３３ａと反対側となる先端側には、当該第二カバー部材３３が第二バンド取付部２８に取り付けられる際に、時計ケース２の外周面に形成された螺子孔（図示略）に螺子込まれる螺子が挿通される挿通孔（図示略）が形成されている。
【００５１】
また、第二カバー部材３３は、略中央部から凸型連結部３３ａに亘って表面より所定の高さ低くなった段差部３３ｄが形成されており、この段差部３３ｄに、当該第二カバー部材３３が第二バンド取付部２８に取り付けられる際に金属カバー３６を係合可能となっている。
【００５２】
上記の金属カバー３５、３６とバンド部材３を構成するバンド駒とを略同色としても良く、これにより、腕時計１００をデザイン性の優れたものとすることができる。
【００５３】
次に、腕時計１００とゲート装置２００との間における情報通信について、図４を参照して説明する。
先ず、腕時計１００の情報通信に係る構成について説明する。
図４に示すように、腕時計１００は、時計部７と、アンテナコイル８と、データキャリアモジュール４とを備えている。
【００５４】
時計部７は、回路基板１４に実装されたデバイスから構成されるものであり、時計制御部７１と、所定周波数のクロック信号を生成して、時計制御部７１に出力する発振器７２と、ユーザによるスイッチ２３の操作に基づいて操作信号を時計制御部７１に出力する入力部７３と、液晶表示部１２に表示データを出力する表示出力部７４と、図示しないスピーカ等に対して音声信号を出力する報知出力部７５と、例えばＥＥＰＲＯＭ等から構成されたメモリ７６とを備えている。
【００５５】
アンテナコイル８は、時計制御部７１に接続されており、例えばユーザのゲート通過の際等に、データキャリアモジュール４との間で誘導電磁界を形成し、この誘導電磁界を利用して、データキャリアモジュール４とユーザのゲート通過に係る各種情報の送受信を行う通信部を構成している。
表示出力部７４は、ユーザのゲート通過の際にアンテナコイル８を介して受信した情報に基づいて、時計制御部７１の制御下にて、例えばユーザ認識処理、精算処理等の各種情報処理、通過日時や履歴等に係る表示データを液晶表示部１２に出力するような構成であっても良い。これにより、ユーザは、液晶表示部１２の表示結果に基づいて、各種の情報を容易に認識することができる。
【００５６】
データキャリアモジュール４は、例えば電磁誘導方式や電磁結合方式のＲＦ−ＩＤシステムを構成するＲＦ−ＩＤトランスポンダ等であり、データキャリアＩＣ４１と、このデータキャリアＩＣ４１に接続されるとともに、図示しない所定のコアに巻回されることによりバーアンテナを構成するデータキャリア側アンテナコイル４２と、を備えている。
【００５７】
データキャリアＩＣ４１は、データキャリア側アンテナコイル４２の両端部に接続されたコンデンサ４１ａを有するとともに、ＡＣ／ＤＣコンバータ４１ｂ、クロック再生部４１ｃ、復調部４１ｄ、復号部４１ｅ、メモリ４１ｆ、符号化部４１ｇ、変調部４１ｈ、電源制御部４１ｉ、データキャリア制御部４１ｊを有している。
データキャリア側アンテナコイル４２に発生した交流電流（Alternate Current）は、ＡＣ／ＤＣコンバータ４１ｂで直流電流（Direct  Current）に整流され、電源制御部４
１ｉを介してデータキャリア制御部４１ｊに与えられる。そして、データキャリアＩＣ４１を駆動する電力として利用される。また、データキャリア制御部４１ｊには、データキャリア側アンテナコイル４２に発生した交流電流に基づいて、クロック再生部４１ｃで再生されたクロック信号及び復調部４１ｄで復調され復号部４１ｅで復号されたデータが入力される。
データキャリア制御部４１ｊは、前記クロック信号に同期したタイミングで前記復号部４１ｅで復号されたデータを読み取り、この読み取ったデータを、例えば、メモリ４１ｆに記憶する。また、前記読み取ったデータ等に基づいて、メモリ４１ｆに記憶されているデータを符号化部４１ｇに供給する。符号化部４１ｇで符号化されたデータは変調部４１ｈで変調されて、データキャリア側アンテナコイル４２に送出されるように構成されている。
【００５８】
データキャリア側アンテナコイル４２は、ユーザのゲート通過の際にゲート装置２００に備わるリーダ／ライタ側アンテナコイル２０１（後述）と対向配置された際に、このリーダ／ライタ側アンテナコイル２０１との間に形成される誘導電磁界を利用して、リーダ／ライタ２０２（後述）との間でユーザのゲート通過に係る各種情報を送受信する。
メモリ４１ｆは、例えば、ＥＥＰＲＯＭ等から構成されており、ユーザのゲート通過の際にデータキャリア側アンテナコイル４２を介してリーダ／ライタ２０２に送信されるユーザの認識処理に係るデータや、リーダ／ライタ２０２から送信されデータキャリア側アンテナコイル４２を介して受信された精算処理、通過日時や履歴等に係るデータ等を記憶している。
【００５９】
次に、ゲート装置２００の構成について説明する。
ゲート装置２００は、ＲＦ−ＩＤシステムの構成要素であり、データキャリア側アンテナコイル４２に対応するリーダ／ライタ側アンテナコイル２０１と、このリーダ／ライタ側アンテナコイル２０１の接地されている端と反対側の端部に接続されているリーダ／ライタ２０２と、このリーダ／ライタ２０２に接続されている制御装置／システム２０３と、この制御装置／システム２０３に接続されているゲート開閉装置２０４とを備えている。
【００６０】
リーダ／ライタ２０２は、制御装置／システム２０３から出力された制御信号に所定の符号化処理や復調処理を施した後、この制御信号と、図示しない発振部から出力される所定周波数のクロック信号とに基づいて、リーダ／ライタ側アンテナコイル２０１を駆動するように構成されている。そして、リーダ／ライタ２０２は、リーダ／ライタ側アンテナコイル２０１を介して、データキャリアモジュール４との間で送受信される各種情報の読み取り又は書き込みを行う。
リーダ／ライタ側アンテナコイル２０１は、ユーザのゲート通過の際に、対向配置されたデータキャリア側アンテナコイル４２との間で、このデータキャリア側アンテナコイル４２との間に形成される誘導電磁界を利用して、ユーザのゲート通過に係る各種情報を送受信する。
制御装置／システム２０３は、リーダ／ライタ２０２とデータキャリアモジュール４との各種情報の送受信に基づいて、ゲート開閉装置２０４によるゲートの開閉を制御する。
【００６１】
以下に、腕時計１００を装着したユーザがゲートを通過する際に、ゲート装置２００と腕時計１００との間における情報通信について説明する。
先ず、ユーザが、ゲートを通過する際に、ゲート装置２００のリーダ／ライタ側アンテナコイル２０１に腕時計１００を近づけて、この腕時計１００のデータキャリア側アンテナコイル４２とリーダ／ライタ側アンテナコイル２０１とが対向配置されると、リーダ／ライタ側アンテナコイル２０１とデータキャリア側アンテナコイル４２との間に誘導電磁界が形成される。
すると、この誘導電磁界を利用して、ゲート装置２００とデータキャリアモジュール４との間で、ユーザのゲート通過に係る各種情報、具体的には、例えばユーザの認証処理や精算処理等に係るデータが送受信される。さらに、ユーザのゲート通過の際には、データキャリア側アンテナコイル４２とアンテナコイル８との間に形成された誘導電磁界を利用して、データキャリアモジュール４がゲート装置２００との通信により取得した各種情報が時計部７に受信される。これにより、例えば、時計部７の計時機能を利用することで、当該計時部７がユーザのゲート通過の際に取得した情報に基づいて時間管理を行ったり、また、時計部７のメモリ７６を利用して、データキャリアモジュール４が取得した情報のバックアップを行ったりすることができる。
【００６２】
以上のように、実施形態１の腕時計１００によれば、ゲート装置２００との間で情報の送受信を行うデータキャリアモジュール４が収納部５に収納され、この収納部５がバンド部材３の第一バンド部３２の自由端に備えられている第一カバー部材３１で覆われ、この第一カバー部材３１が時計ケース２に固定されている。従って、第一カバー部材３１によりデータキャリアモジュール４に対して外部からの衝撃が伝わりにくくなり、データキャリアモジュール４の耐衝撃性を向上させることができる。
また、腕時計１００は、時計ケース２内に備わるアンテナコイル８によって、ユーザのゲート通過の際等に、データキャリアモジュール４がゲート装置２００との通信により取得した各種の情報の受信や、データキャリアモジュール４を介したゲート装置２００に対する各種の情報の送信を行うことができる。このとき、アンテナコイル８は、データキャリアモジュール４のデータキャリア側アンテナコイル４２との間で誘導電磁界を形成し、この誘導電磁界を利用して、データキャリアモジュール４とユーザのゲート通過に係る各種情報の送受信を行うので、例えばデータキャリアモジュール４とアンテナコイル８とを有線接続して通信を行う場合のように、収納部５に配線用の孔を必要としないため、収納部５内におけるデータキャリアモジュール４の収納保護をより適正なものとすることができる。
【００６３】
また、上記実施形態１では、収納部５が第一バンド取付部２７に設けられるような構成としたが、これに限られるものではなく、第一バンド取付部２７と時計機能部１を挟んで反対側の第二バンド取付部２８に設けられるような構成であっても良い。
【００６４】
［実施形態２］
以下に、実施形態２の腕時計３００について図５及び図６を参照して説明する。
ここで、図５は、本発明を適用した実施形態２の腕時計３００を示す一部省略平面図であり、図６は、図５のＶＩ−ＶＩ線における要部の拡大断面図である。
なお、実施形態２の腕時計３００は、カバー部材としての表面カバー部材３０９以外の点では上記実施形態１と略同様であるので、同様の構成には同一の符号を付してその説明を省略するものとする。
【００６５】
本実施形態の腕時計３００は、図５及び図６に示すように、当該腕時計３００を表面側から覆う表面カバー部材３０９を備えており、この表面カバー部材３０９によって、時計ケース３０２の収納部３０５に収納されたデータキャリアモジュール４が覆われるようになっている。
【００６６】
先ず、時計ケース３０２について、図７〜図１１を参照してより詳細に説明する。
ここで、図７は、時計ケース３０２を示す平面図であり、図８は、時計ケース３０２を右側方から見て示した側面図であり、図９は、図７のIＸ−IＸ線における時計ケース３０２の要部断面図であり、図１０は、時計ケース３０２の底面図である。
【００６７】
図７〜図１０に示すように、時計ケース３０２は、内部に時計機能部１（図６参照）を収納する略円筒状のケース本体部３２１を有し、このケース本体部３２１には、時計ケース３０２の１２時方向側及び６時方向側の各端部に連続して、バンド部材３０３としての第一バンド部３３２及び第二バンド部３３４が取り付けられる第一バンド取付部３２７及び第二バンド取付部３２８が形成されている。
【００６８】
ケース本体部３２１には、図８に示すように、その周面にスイッチ３２３、…に接続される軸部（図示略）が挿通される所定数の軸部挿通孔３２１１、…と、当該時計ケースに対する表面カバー部材３０９の取り付けに際して、螺子（図示略）が螺子込まれる所定数の螺子孔３２１２、…と、表面カバー部材３０９の被係合部３９１４が係合される所定数の係合凸部３２１３、…とが形成されている。
螺子孔３２１２は、時計ケース３０２のほぼ３時方向となる位置に形成されており、図示は省略するが、当該螺子孔３２１２と時計機能部１を挟んで反対側となる時計ケース３０２のほぼ９時方向となる位置にも同様に螺子孔が形成されている。
軸部挿通孔３２１１は、螺子孔３２１２を挟むようにケース本体部３２１の周方向に沿って２つ形成されており、図示は省略するが、これら軸部挿通孔３２１１、３２１１と時計機能部１を挟んで反対となる側にも同様に軸部挿通孔が２つ形成されている。
また、係合凸部３２１３は、ケース本体部３２１の軸部挿通孔３２１１よりも第一バンド取付部３２７側及び第二バンド取付部３２８側のそれぞれに形成されており、図７及び図１０に示すように、これら係合凸部３２１３、３２１３と時計機能部１を挟んで反対となる側にも同様に２つの係合凸部３２１３、３２１３が形成されている。
【００６９】
なお、図６に示すように、ケース本体部３２１の時計機能部１よりも視認側には、時計ガラス２１が図示しない緩衝部材を介して装着され、また、ケース本体部３２１の時計ガラス２１よりもさらに視認側となる端部には、略環状に形成された枠状部材３２２がパッキン等の所定の緩衝部材３２２ａを介して設けられるようになっている。
【００７０】
また、図１０に示すように、ケース本体部３２１の視認側と反対側の底面部３２９には、所定の深さを有する溝状に形成されて防水リング２４が取り付けられるリング取付部３２９１と、このリング取付部３２９１よりも外側の所定位置に、時計ケース３０２に対する裏蓋３２５の取り付けに際して、螺子が螺子込まれる所定数（図１０中、４つ図示）の螺子孔３２９２、…が形成されている。即ち、時計ケース３０２には、リング取付部３２９１に取り付けられた防水リング２４を介して裏蓋３２５が取り付けられ（図６参照）、さらに、裏蓋３２５の螺子挿通孔（図示略）に挿通された螺子が螺子孔３２９２に螺子込まれることにより裏蓋３２５が当該時計ケース３０２に対して取付固定されるようになっている（図６参照）。
【００７１】
第二バンド取付部３２８には、収容部３２８ａが設けられており、この収容部３２８ａに発光スイッチ３０６が収容されている（図６参照）。より具体的には、発光スイッチ３０６が収容部３２８ａ内に収容されて、時計ケース３０２に表面カバー部材３０９が取り付けられた状態で、表面カバー部材３０９の第二開口部３９３１を介して発光スイッチ３０６の操作面部を視認側に臨ませるようになっている。
また、第二バンド取付部３２８の収容部３２８ａよりも第二バンド部３３４側には、当該第二バンド取付部３２８に第二バンド部３３４を取り付けるために連結用ピン３３９が挿通される挿通孔３２８ｂ（図９参照）が形成されている。
【００７２】
第一バンド取付部３２７には、収納部３０５が設けられており、この収納部３０５内にデータキャリアモジュール４が収納されるようになっている。
以下に、収納部３０５におけるデータキャリアモジュール４の収納状態について図１１〜図１３を参照して説明する。
ここで、図１１は、時計ケース３０２の収納部３０５にデータキャリアモジュール４が収納された状態を示す平面図である。また、図１２は、蓋部材３５３の底面図であり、図１３は、図１２のＸIII−ＸIII線における蓋部材３５３の断面図である。
【００７３】
図１１に示すように、第一バンド取付部３２７には、データキャリアモジュール４が収納される収納部３０５が形成されており、その収納部３０５内に図１１における左側に寄せるようにしてデータキャリアモジュール４が配設されている。なお、図１１にあっては、収納部３０５内のデータキャリアモジュール４の固定に用いられる固定部材３１０の図示は省略されている。
また、図６及び図１１に示すように、収納部３０５の周囲には、その開口の端部に連続して所定幅を有する環状平面部３０５１が形成され、この環状平面部３０５１の外側の端部に連続して所定の深さを有する環状溝部３０５２が形成されている。
一方、蓋部材３５３は、図１２及び図１３に示すように、その外周面部に連続し、且つ、環状溝部３０５２の形状に対応して形成され当該環状溝部３０５２に係合する環状係合部３５３１と、この環状係合部３５３１の内側の端部に連続して環状平面部３０５１の形状に対応して溝状に形成されて、当該環状平面部３０５１が係合される環状被係合部３５３２と、この環状被係合部３５３２の内側の端部に連続して当該蓋部材３５３の外方に向かって凸の曲面状に形成された内周面部３５３３とを有して形成されている。
【００７４】
そして、蓋部材３５３が、その環状係合部３５３１を環状溝部３０５２に係合させるとともに環状被係合部３５３２に環状平面部３０５１が係合させられるようにして第一バンド取付部３２７に取り付けられることにより、当該蓋部材３５３によって収納部３０５が塞がれるようになっている。さらに、蓋部材３５３を覆うように表面カバー部材３０９が取り付けられることにより、表面カバー部材３０９の第一開口部３９２１を介して蓋部材３５３の表面の一部を視認側に臨ませるようになっている。このように、蓋部材３５３は、表面カバー部材３０９と収納部３０５との間に設けられるようになっている。
【００７５】
データキャリアモジュール４は、その外周面の略全面が粘着性を有する予め定められた固定部材３１０により包み込まれた状態で収納部３０５内に配設されており、この収納部３０５内に固定部材３１０を介して固定されるようになっている（図６参照）。従って、収納部３０５内にてデータキャリアモジュール４の周囲、例えば、図６における上方に所定の空間が生じている場合に、収納部３０５の内面から固定部材３１０が剥がれてデータキャリアモジュール４の固定が解除されても、当該データキャリアモジュール４を包み込む固定部材３１０の上側の部分により、例えば蓋部材３５３の内周面部３５３３等に粘着されて固定されるようになっている。これにより、データキャリアモジュール４の固定をより確実に行うことができる。
【００７６】
なお、第一バンド取付部３２７の環状溝部３０５２よりも第一バンド部３２２側には、当該第一バンド取付部３２７に第一バンド部３２２を取り付けるために連結用ピン３３８が挿通される挿通孔３２７ｂ（図９参照）が形成されている。
【００７７】
以下に、表面カバー部材３０９について、図１４〜図１７を参照してより詳細に説明する。
ここで、図１４は、表面カバー部材３０９を示す平面図であり、図１５は、表面カバー部材３０９を右側方から見て示した側面図であり、図１６は、図１４のＸＶI−ＸＶI線における表面カバー部材３０９の要部断面図であり、図１７は、表面カバー部材３０９の底面図である。
【００７８】
図１４〜図１７に示すように、表面カバー部材３０９は、時計ケース３０２のケース本体部３２１を覆う本体カバー部３９１と、本体カバー部３９１の１２時方向側の端部に連続して形成され、第一バンド取付部３２７を覆う第一取付部カバー部３９２と、本体カバー部３９１の６時方向側の端部に連続して形成され、第二バンド取付部３２８を覆う第二取付部カバー部３９３とを備えて構成されている。
【００７９】
本体カバー部３９１には、略円形状の本体開口部３９１１が形成されており、当該本体開口部３９１１を介して液晶表示部１２、太陽電池部１１及び枠状部材３２２の一部を視認側に臨ませるようになっている。即ち、表面カバー部材３０９の本体カバー部３９１によって、時計ケース３０２の表面のうちの少なくとも一部分が覆われるようになっている。
また、本体カバー部３９１は、図１５に示すように、その周面に時計ケース３０２に取り付けられたスイッチ３２３を露出させるための所定数のスイッチ用開口部３９１２、…と、当該表面カバー部材３０９の時計ケース３０２に対する取り付けに際して、時計ケース３０２の所定数の螺子孔３２１２に螺子込まれる螺子（図示略）が挿通される所定数の螺子挿通孔３９１３、…と、時計ケース３０２の係合凸部３２１３に係合される所定数の被係合部３９１４、…とが形成されている。
【００８０】
螺子挿通孔３９１３は、表面カバー部材３０９のほぼ３時方向となる位置に時計ケース３０２の螺子孔３２１２に対応させて形成されており、図示は省略するが、当該螺子挿通孔３９１３と本体開口部３９１１を挟んで反対側となる表面カバー部材３０９のほぼ９時方向となる位置にも同様に螺子挿通孔が形成されている。
スイッチ用開口部３９１２は、螺子挿通孔３９１３を挟むように本体カバー部３９１の周方向に沿って２つ形成されており、図示は省略するが、これらスイッチ用開口部３９１２と本体開口部３９１１を挟んで反対となる側にも同様にスイッチ用開口部が２つ形成されている。
また、被係合部３９１４は、本体カバー部３９１のスイッチ用開口部３９１２よりも第一取付部カバー部３９２側及び第二取付部カバー部３９３側のそれぞれに形成されており、図示は省略するが、これら被係合部３９１４と本体開口部３９１１を挟んで反対となる側にも同様に被係合部が２つ形成されている。
【００８１】
第二取付部カバー部３９３には、図１４及び図１６に示すように、当該表面カバー部材３０９が時計ケース３０２に取り付けられた状態で、時計ケース３０２の収容部３２８内に収容された発光スイッチ３０６の操作面部を視認側に臨ませるための第二開口部３９３１が形成されている。
【００８２】
第一取付部カバー部３９２には、図１４及び図１６に示すように、当該表面カバー部材３０９が時計ケース３０２に取り付けられた状態で、時計ケース３０２に取り付けられた蓋部材３５３の表面の一部を視認側に臨ませるための第一開口部３９２１が形成されている。
【００８３】
次に、時計ケース３０２に対してのデータキャリアモジュール４、蓋部材３５３、表面カバー部材３０９の取り付け手順について、図１８を参照して説明する。
図１８に示すように、先ず、第一バンド取付部３２７の収納部３０５内にデータキャリアモジュール４を収納して固定する。なお、図１８にあっては、データキャリアモジュール４の収納部３０５内に対する固定に用いられる固定部材３１０の図示は省略するものとする。
次に、第一バンド取付部３２７に対して、収納部３０５の周囲の環状溝部３０５２に環状係合部３５３１を係合させるとともに環状被係合部３５３２に環状平面部３０５１が係合させられるようにして蓋部材３５３を取り付けて、この蓋部材３５３の環状係合部３５３１を環状溝部３０５２内に溶着する。
【００８４】
そして、第一バンド取付部３２７に取り付けられた蓋部材３５３を覆うように表面カバー部材３０９を時計ケース３０２に装着する。具体的には、時計ケース３０２に対して、その係合凸部３２１３に被係合部３９１４を係合させ、且つ、時計ケース３０２に配設されたスイッチ３２３をスイッチ用開口部３９１２から露出させるようにして表面カバー部材３０９を取り付けた後、この表面カバー部材３０９の螺子挿通孔３９１３及び時計ケース３０２の螺子孔３２１２に所定の螺子を螺子込むことにより、時計ケース３０２に対する表面カバー部材３０９の取付固定が完了する。
【００８５】
以上のように、実施形態２の腕時計３００によれば、データキャリアモジュール４が収納部３０５に収納され、この収納部３０５が時計ケース３０２に取付固定された表面カバー部材３０９で覆われている。従って、表面カバー部材３０９によりデータキャリアモジュール４に対して外部からの衝撃が伝わりにくくなり、データキャリアモジュール４の耐衝撃性を向上させることができる。また、表面カバー部材３０９は、この時計ケース３０２の表面のうちの少なくとも一部分を覆うので、時計ケース３０２を表面側から保護することができる。
また、蓋部材３５３は、収納部３０５の周囲に形成された環状溝部３０５２に環状係合部３５３１を係合させた状態で溶着されて固定されているので、データキャリアモジュール４の耐衝撃性をより向上させることができるとともに、収納部３０５内にデータキャリアモジュール４を密閉した状態で収納することができ、データキャリアモジュール４に対する耐防水性を向上させることができる。
【００８６】
また、データキャリアモジュール４の周辺、即ち、収納部３０５の周囲には、金属製の部品が配設されていないので、アンテナ受信信号に対するノイズの混合等を防止して通信感度の低下を抑制することができる。
【００８７】
［実施形態３］
以下に、実施形態３の腕時計４００について図１９及び図２０を参照して説明する。
ここで、図１９は、本発明を適用した実施形態３の腕時計４００の収納部４０５におけるデータキャリアモジュール４の配置を説明するための図である。また、図２０は、腕時計４００とガソリン計量器５００との無線通信を説明するための図である。
なお、実施形態３の腕時計４００は、データキャリアモジュール４の搭載方向以外の点では上記実施形態１及び実施形態２と略同様であるので、同様の構成には同一の符号を付してその説明を省略するものとする。
【００８８】
図１９に示すように、腕時計４００の１２時方向側に収納部４０５が設けられ、当該収納部４０５内にバーアンテナ３４２の長手方向がバンド部材４０３の延在方向に沿うようにデータキャリアモジュール４が配設されて、表面カバー部材４０９により覆われている。
即ち、データキャリアモジュール４は、例えば、コア３４２１の長手方向に沿ってデータキャリア側アンテナコイル３４２２が巻回されたバーアンテナ３４２を備えている。このバーアンテナ３４２は、磁束がコア３４２１の長手方向の端部から発せられることで磁界が形成されるようになっている（図２０参照）。なお、図２０にあっては、磁束を破線で示すものとする。従って、腕時計４００内に配設されるデータキャリアモジュール４の向きにより、形成される磁界の向きが変動することとなる。
【００８９】
一方、ＲＦ−ＩＤシステムを構成する外部通信機器としての、例えばガソリンスタンド等に配設されるガソリン計量器５００に搭載されたリーダ／ライタ５０２には、ループアンテナ５０１が配設されている。ループアンテナ５０１は、例えば、ガソリン計量器５００のユーザ側となる面の延在方向に沿うように起立して設けられている。そして、図示しない電源部からの電力の供給に従ってループアンテナ５０１からは、当該アンテナの内側を磁束が通過するような誘導電磁界が形成されるようになっている（図２０参照）。
なお、リーダ／ライタ５０２には、図示しない制御装置が接続されており、当該制御装置の制御下にてガソリン計量器５００としての各種機能が実現可能となっている。
【００９０】
そして、ガソリン計量器５００の利用に際して、ループアンテナ５０１に対してバーアンテナ３４２の長手方向が略直交するように腕時計４００のデータキャリアモジュール４とガソリン計量器５００とが配置される。即ち、例えば、図２０に示すように、ガソリン計量器５００のリーダ／ライタ５０２に腕時計４００を矢印Ａ方向に沿って近づけて、この腕時計４００のバーアンテナ３４２の長手方向とループアンテナ５０１とが略直交して配置されると、ループアンテナ５０１により形成された誘導電磁界によりデータキャリア側アンテナコイル３４２２に電流が流れるようになっている。
【００９１】
以上のように、実施形態３の腕時計４００によれば、データキャリアモジュール４に備わり、長手方向の端部から磁束が発せられて磁界が形成されるバーアンテナ３４２の長手方向がループアンテナ５０１に略直交するようにガソリン計量器５００に対して配置されているので、電波の通信感度が最良の配置となることとなって、データキャリアモジュール４のリーダ／ライタ５０２との通信においてのバーアンテナ３４２の配置を適正化することができ、リーダ／ライタ５０２との間の通信感度を向上させることができる。
また、データキャリアモジュール４は、バーアンテナ３４２の長手方向がバンド部材４０３の延在方向に沿うように収納部４０５に配設されているので、リーダ／ライタ５０２との通信に際して、このリーダ／ライタ５０２に対するデータキャリアモジュール４の近接をより簡便に行うことができる。
【００９２】
なお、ガソリン計量器５００にループアンテナ５０１の代わりに所定のバーアンテナが搭載されている場合、即ち、ガソリン計量器５００と腕時計４００における情報の通信をバーアンテナどうしにて行う場合には、これらバーアンテナを構成するコアの長手方向が略同方向に延在するような向きで対向配置された状態とすることによって、電波の通信感度が最も良くなるようになっている。従って、ガソリン計量器５００には、近接される腕時計４００に備わるバーアンテナ３４２の長手方向と略同方向に延在するようにバーアンテナが配置されることが好ましい。
【００９３】
［実施形態４］
以下に、実施形態４の腕時計６００について図２１を参照して説明する。
ここで、図２１は、本発明を適用した実施形態４の腕時計６００を示す一部省略平面図である。
なお、実施形態４の腕時計６００は、回転ベゼル６０９に係る構成以外の点では上記実施形態１〜実施形態３と略同様であるので、同様の構成には同一の符号を付してその説明を省略する。
【００９４】
図２１に示すように、本実施形態の腕時計６００は、時計ケース６０２の視認側の端部に環状に形成された回転ベゼル６０９を備えている。回転ベゼル６０９は、例えば、その略中心を通る軸を回転中心軸として左右両方向Ｂに回転自在に構成されている。また、回転ベゼル６０９内の所定位置には、バーアンテナ３４２を有するデータキャリアモジュール４が配設されている。
【００９５】
従って、実施形態４の腕時計６００によれば、データキャリアモジュール４は回転ベゼル６０９に配設されているので、回転ベゼル６０９の回転に従ってガソリン計量器５００等の外部通信機器に対して通信感度の良い位置にバーアンテナ３４２をもってくることが可能となり、データキャリアモジュール４の例えばガソリン計量器５００等の外部通信機器との通信においてのバーアンテナ３４２の配置の適正化を図ることができる。
また、データキャリアモジュール４は回転ベゼル６０９の内部に配設されているので、回転ベゼル６０９によりデータキャリアモジュール４に対して外部からの衝撃が伝わりにくくなり、データキャリアモジュール４に対する耐衝撃性を向上させることができる。
【００９６】
なお、上記実施形態４では、データキャリアモジュール４に備わるアンテナとしてのバーアンテナ３４２を例示したが、これに限られるものではなく、外部通信機器との間で情報の送受信を行うことが可能なアンテナであれば如何なる構成のアンテナであっても良い。
また、回転ベゼル６０９の内部の所定位置にデータキャリアモジュール４が配設されるような構成としたが、これに限られるものではなく、回転ベゼル６０９の如何なる位置であっても良く、例えば、回転ベゼル６０９の外面であっても良い。
【００９７】
＜変形例１＞
以下に、変形例１の腕時計について図２２（ａ）及び図２２（ｂ）を参照して説明する。
図２２（ａ）及び図２２（ｂ）に示すように、時計ケース７０２の収納部７０５に収納されて蓋部材７５３により覆われるデータキャリアモジュール７０４の蓋部材７５３側の面には、押圧操作により所定の信号を出力させるスイッチ７０４１が配設されている。また、蓋部材７５３は、外方から所定方向に押圧されることにより変形自在に構成された部材であり、押圧解除に従って変形状態から元に戻るようになっている。
従って、変形例１の腕時計によれば、ユーザによる蓋部材７５３の押圧に基づいてスイッチ７０４１が押圧操作されることにより（図２２（ｂ）参照）、データキャリアモジュール７０４から当該データキャリアモジュール７０４と配線Ｌを介して接続された制御装置（図示略）に対して所定の信号が出力されるようになっている。このように、蓋部材７５３をデータキャリアモジュール７０４の保護のためだけでなく、所定のスイッチ部を構成する部材として用いることができる。
【００９８】
なお、本発明は、上記実施形態１〜４に限定されることなく、本発明の趣旨を逸脱しない範囲において、種々の改良並びに設計の変更を行っても良い。
例えば、手首装着機器として腕時計１００を例示したが、これに限られるものではなく、手首に装着される機器であれば時計機能を有さないものであっても良い。
また、データキャリアモジュール４が、自動改札システムのゲート装置２００やガソリン計量５００のリーダ／ライタ２０２、５０２との間で各種の情報の送受信を行うような構成としたが、これに限られるものではなく、ＲＦ−ＩＤシステムを構成する他の外部通信機器であっても良いし、情報の送受信を少なくとも無線により行うことができる外部通信機器であれば如何なるものであっても良い。
【００９９】
また、腕時計１００は、デジタル表示するものに限られず、デジタル表示機能に替えてアナログ表示機能を具備するものであっても良いし、デジタル表示機能及びアナログ表示機能の両方を具備するものであっても良い。
【図面の簡単な説明】
【０１００】
【図１】本発明を適用した実施形態１の手首装着機器として例示する腕時計を示す一部省略平面図である。
【図２】図１のII−II線における腕時計の要部断面図である。
【図３】図１の腕時計の時計ケースに対するバンド部材の取付工程を示す分解斜視図である。
【図４】図１の腕時計及びゲート装置の要部構成を示すブロック図である。
【図５】本発明を適用した実施形態２の手首装着機器として例示する腕時計を示す一部省略平面図である。
【図６】図５のＶI−ＶI線における腕時計の要部断面図である。
【図７】図５の腕時計に備わる時計ケースを示す平面図である。
【図８】図７の時計ケースを側方から見て示した側面図である。
【図９】図７のIＸ−IＸ線における時計ケースの要部断面図である。
【図１０】図７の時計ケースの底面図である。
【図１１】図５の腕時計の収納部にデータキャリアモジュールが収納された状態を示す平面図である。
【図１２】図５の腕時計に備わる蓋部材の底面図である。
【図１３】図１２のＸIII−ＸIII線における蓋部材の断面図である。
【図１４】図５の腕時計に備わる表面カバー部材を示す平面図である。
【図１５】図１４の表面カバー部材を側方から見て示した側面図である。
【図１６】図１４のＸＶI−ＸＶI線における表面カバー部材の要部断面図である。
【図１７】図１４の表面カバー部材の底面図である。
【図１８】図５の腕時計の時計ケースに対する表面カバー部材の取付工程を示す分解斜視図である。
【図１９】本発明を適用した実施形態３の手首装着機器として例示する腕時計の収納部におけるデータキャリアモジュールの配置を説明するための図である。
【図２０】図１９の腕時計とガソリン計量器との無線通信を説明するための図である。
【図２１】本発明を適用した実施形態４の手首装着機器として例示する腕時計を示す一部省略平面図である。
【図２２】変形例１の腕時計に備わる蓋部材を説明するための図である。
【符号の説明】
【０１０１】
１００、３００、４００、６００  腕時計（手首装着機器）
２、３０２  時計ケース（機器本体ケース）
３、３０３、４０３  バンド部材
３１      第一カバー部材（カバー部材）
３２、３３２  第一バンド部
３４２    バーアンテナ（アンテナ）
４、７０４  データキャリアモジュール（無線通信部）
５、３０５、４０５  収納部
５３、３５３、７５３  蓋部材
８        アンテナコイル（通信部）
２００    ゲート装置（外部通信機器）
３０９、４０９  表面カバー部材（カバー部材）
５００    ガソリン計量器
６０９    回転ベゼル
【図１】
2005098990.tif 000003
【図２】
2005098990.tif 000004
【図３】
2005098990.tif 000005
【図４】
2005098990.tif 000006
【図５】
2005098990.tif 000007
【図６】
2005098990.tif 000008
【図７】
2005098990.tif 000009
【図８】
2005098990.tif 000010
【図９】
2005098990.tif 000011
【図１０】
2005098990.tif 000012
【図１１】
2005098990.tif 000013
【図１２】
2005098990.tif 000014
【図１３】
2005098990.tif 000015
【図１４】
2005098990.tif 000016
【図１５】
2005098990.tif 000017
【図１６】
2005098990.tif 000018
【図１７】
2005098990.tif 000019
【図１８】
2005098990.tif 000020
【図１９】
2005098990.tif 000021
【図２０】
2005098990.tif 000022
【図２１】
2005098990.tif 000023
【図２２】
2005098990.tif 000024